(57)【要約】      （修正有）【課題】  携帯電話でゲームを行うときの操作性を向上させる。【解決手段】  ベルト状の部材１の表面に十字状の突起部２を設ける。部材１は携帯電話の数字キー群の部分に取り付け可能に構成され、十字状の突起部２は、その中心で携帯電話の数字キー群の中心のキー「５」を覆い、その４つの端部でその周囲の４つのキー「２」「４」「６」「８」を覆うように構成されている。十字状の突起部２を通して触覚で「２」「４」「６」「８」のキー操作でき、ゲームを楽しむときに便利である。【選択図】図２
2006295659.tif 000002
【特許請求の範囲】
【請求項１】
ベルト状又は平面状の部材と、前記部材の表面に設けられた十字状の突起部とを備え、前記部材は携帯電話の数字キー群の部分に取り付け可能に構成され、前記十字状の突起部は、その中心で携帯電話の数字キー群の中心のキーを覆い、その４つの端部で前記中心のキーの周囲の４つのキーを覆うように構成されたことを特徴とする携帯電話キー用アダプタ。
【請求項２】
前記部材は透明の樹脂で形成され、前記十字状の突起部のみが着色その他の手段により不透明にされていることを特徴とする請求項１記載の携帯電話キー用アダプタ。
【発明の詳細な説明】
【技術分野】
【０００１】
この発明は、携帯電話キー用アダプタに関し、特に携帯電話でゲームを行うときに頻繁に使用するキーを使いやすくするためのアダプタに関する。
【背景技術】
【０００２】
従来の携帯電話キー用アダプタとして特許文献１に開示されたものがある。
【特許文献１】特開平１１−５４９５３号公報  特許文献１は、携帯電話を収納するキャリングケースの操作パネル前面に位置する部分を、柔軟性を有する合成樹脂シートによって操作カバーとして構成し、携帯電話のスイッチ操作部に対応する外部表面に触知操作部を形成することを開示する。
【発明の開示】
【発明が解決しようとする課題】
【０００３】
携帯電話に通話機能以外の様々な機能が付加されるようになってきている。カメラ付き携帯電話は広く普及しているし、テレビ視聴可能な携帯電話も提供されている。
【０００４】
ゲーム機能を備える携帯電話もある。携帯電話の液晶表示部にゲーム画面が表示され、テレビゲームと同様の画面及び操作でゲームを楽しむことができるようになっている。ゲームの実行には、通話の場合と異なり携帯電話の全部のキーを使用するのではなく、一部のキーを使用する。例えば、テレビゲーム機のコントローラに設けられたいわゆる十字キーでゲーム画面中のキャラクタを上下左右に動かすように、携帯電話の特定のキーを中心として４方向のキーを頻繁に使用する。
【０００５】
本発明は携帯電話でゲームを行うときの操作性を向上させるためになされたもので、いわゆる十字キーに対応する携帯電話のキーを容易に操作できるようにする携帯電話キー用アダプタを提供することを目的とする。
【課題を解決するための手段】
【０００６】
この発明に係る携帯電話キー用アダプタは、ベルト状又は平面状の部材と、前記部材の表面に設けられた十字状の突起部とを備え、前記部材は携帯電話の数字キー群の部分に取り付け可能に構成され、前記十字状の突起部は、その中心で携帯電話の数字キー群の中心のキーを覆い、その４つの端部で前記中心のキーの周囲の４つのキーを覆うように構成されたことを特徴とするものである。
【０００７】
前記部材を透明の樹脂で形成し、前記十字状の突起部のみを着色その他の手段（例えば、部分的に着色したり、気泡を入れて白濁させたり、突起部のみを不透明な別材質で形成する）により不透明にすると、ゲームと通話のいずれの操作にも適用でき好ましい。
【発明を実施するための最良の形態】
【０００８】
発明の実施の形態１．
発明の実施の形態１について図面を参照して説明を加える。
図１は、発明の実施の形態１に係る携帯電話キー用アダプタの斜視図である。
図２は、この携帯電話キー用アダプタの使用状態の説明図である。図２（ａ）は携帯電話キー用アダプタを携帯電話に装着した状態を示す斜視図、図２（ｂ）はその拡大図である。図２（ｂ）において１と２は、いわゆる十字キーでゲーム画面中のキャラクタを上下左右に動かすために、携帯電話の特定のキー「５」を中心として頻繁に使用する４方向のキー「２」「４」「６」「８」を覆った状態を示し、１’と２’はゲームを実行しないときの状態を示す。１’と２’は携帯電話に設けられたカーソルスイッチ（中央及び上下左右に設けられたスイッチ）上にアダプタが位置し、当該アダプタの上から当該カーソルスイッチを操作することができる。この携帯電話キー用アダプタは、図２（ｂ）に示すように携帯電話本体上を動かすことにより、携帯電話の十字カーソル部分と、数字キーの部分のいずれにも対応できる。十字状の突起部２を通して触覚で「２」「４」「６」「８」のキー操作でき、ゲームを楽しむときに便利である。
【０００９】
図３は、発明の実施の形態１に係る携帯電話キー用アダプタの正面図（図３（ａ））、右側面図（図３（ｂ））、底面図（図３（ｃ））及びＡ−Ａ矢視断面図（図３（ｄ））である。
【００１０】
これらの図面において、１は樹脂製のベルト状の部材、２はベルト状の部材１の表面に設けられた十字状の突起部２である。図３（ｄ）を参照するとわかるように、十字状の突起部２の内部は空洞になっていてその内部の携帯電話のキーを収納するようになっている。
【００１１】
ベルト状の部材１は、図２に示すように携帯電話の数字キー群「１」〜「０」「＊」「＃」のところに取り付け可能に構成されている。すなわち、ベルト状の部材１は可撓性を有し、その断面は携帯電話のそれよりも僅かに小さくなっている。携帯電話の装着時にはベルト状の部材１を引っ張って携帯電話に嵌め込むようにする。
【００１２】
十字状の突起部２は、その中心で携帯電話の数字キー群の中心のキー「５」を覆い、その４つの端部で前記中心のキーの周囲の４つのキー「２」「４」「６」「８」を覆うように構成されている。すなわち、突起部２の中心部分２Ｃはキー「５」を覆う程度の大きさであり、そこから上方に伸びる突起部２の枝２Ｕの長さはキー「５」からキー「２」までの長さよりやや長くなっている。その幅はキーよりもやや広くなっている。他の枝２Ｕ、２Ｌ，２Ｒも同様である。
【００１３】
ベルト状の部材１を透明の樹脂で形成し、十字状の突起部２のみを着色その他の手段により不透明にすると好ましい。ゲームで使用するキー「２」「４」「５」「６」「８」以外のキーはベルト状の部材１を通して見ることができるので、通話操作のときに便利である。ゲームで使用するキーは見えないが、その突起が設けてあるので使用者は触覚で容易にその位置を把握できる。
【００１４】
本発明の実施の形態１によれば、ゲーム実行時に必要な数字キーのみを触覚で遊技者に教えるため、携帯電話でゲームを実行する際の操作性が向上する。
【００１５】
発明の実施の形態２．
図４は発明の実施の形態２に係る携帯電話キー用アダプタの正面図、右側面図及び底面図である。ベルト状の部材１を切断し、切断個所の両側に面ファスナー３ａと３ｂを設けたものである。図４の携帯電話キー用アダプタを携帯電話本体に装着するには、いったん面ファスナー３ａ，３ｂを引き剥がし、ベルト状の部材１を開く。ベルト状の部材１を携帯電話本体に巻きつけてから面ファスナー３ａと３ｂを接合する。
【００１６】
面ファスナーとは、衣服などに用いる着脱自在の布製のテープであり、フック状とパイル状との2枚を噛み合せるものである。２本の布がピタリとくっつき、着脱が自在という特徴を備える。
【００１７】
発明の実施の形態３．
図５は、発明の実施の形態３に係る携帯電話キー用アダプタの正面図、右側面図及び底面図である。この例では十字状の突起部２が平面状の部材４の上に設けられている。平面状の部材４の両端には面ファスナー３ａと３ｂが設けられている。図示しないが、携帯電話本体の側にも面ファスナーが設けられていて、面ファスナー３ａ，３ｂはそれと結合することにより、十字状の突起部２をゲームで使用するキー「２」「４」「５」「６」「８」上に載置する。
【００１８】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００１９】
【図１】発明の実施の形態１に係る携帯電話キー用アダプタの斜視図である。
【図２】この携帯電話キー用アダプタの使用状態の説明図である。
【図３】発明の実施の形態１に係る携帯電話キー用アダプタの正面図、右側面図及び底面図である。
【図４】発明の実施の形態２に係る携帯電話キー用アダプタの正面図、右側面図及び底面図である。
【図５】発明の実施の形態３に係る携帯電話キー用アダプタの正面図、右側面図及び底面図である。
【符号の説明】
【００２０】
１    ベルト状の部材
２    十字状の突起部
３    面ファスナー
４    平面状の部材
ＣＰ    携帯電話
【図１】
2006295659.tif 000003
【図２】
2006295659.tif 000004
【図３】
2006295659.tif 000005
【図４】
2006295659.tif 000006
【図５】
2006295659.tif 000007